(57)【要約】【課題】  コイル周長を延ばすことなく、コア端面部のコイル容積を増加させることなく、スロットの幅よりスロットの開口部の幅が狭く形成された鉄心にコイルを装着することができる。【解決手段】  スロット内部の幅よりスロット開口部の幅が狭く形成された鉄心にコイル組合体を装着する方法であって、コイル組合体１の第１および第２の辺部１ａ、ｂを鉄心の軸方向に延ばすようにスライドさせ、スロット開口部を通過する部位である第３の辺部１ｃ、ｄ、ｅをスロット開口部の幅以下の積層厚にずらすことにより、コイル組合体１をスロット内に挿入する工程と、コイル組合体１の第１および第２の辺部１ａ、ｂを鉄心の軸方向に縮めるようにスライドさせることにより、第１および第２の辺部１ａ、ｂをスロット断面に応じた積層厚にすると共に、スロット開口部の幅以下の積層厚に形成された第３の辺部１ｃ、ｄ、ｅを重ならせる工程からなる。【選択図】        図３
2005304108.tif 000002
【特許請求の範囲】
【請求項１】
所定の間隔を介してスロットが形成された鉄心と、上記スロット内に巻回されたコイルを備え、
上記スロット内において、整列巻きされた各線材層の並びであるコイル列は、上記鉄心の軸方向に平行で且つ周方向に配置され、
上記鉄心の少なくとも一つの軸方向端面であるコイルエンド部において、整列巻きされた各線材層の並びであるコイル列は、上記鉄心の軸方向にほぼ直角で且つ径方向に配置されていることを特徴とする回転電動機の固定子。
【請求項２】
スロット内部の幅よりスロット開口部の幅が狭く形成された鉄心にコイル組合体を装着する回転電動機のコイル装着方法において、
上記コイル組合体が、上記一対のスロット内に配設される第１及び第２の辺部と、第１及び第２の辺部の一端側に連なり上記スロット開口部に導入される第３の辺部と、第１及び第２の辺部の他端側に連なる第４の辺部を備え、
上記コイル組合体の第１および第２の辺部を上記鉄心の軸方向に延ばすようにスライドさせ、上記スロット開口部を通過する部位である第３の辺部を上記スロット開口部の幅以下の積層厚にずらすことにより、上記コイル組合体を上記スロット内に挿入する工程と、
上記コイル組合体の第１および第２の辺部を上記鉄心の軸方向に縮めるようにスライドさせることにより、第１および第２の辺部を上記スロット断面に応じた積層厚にすると共に、上記スロット開口部の幅以下の積層厚に形成された第３の辺部を重ならせる工程からなる回転電動機のコイル装着方法。
【請求項３】
上記コイル組合体の第１および第２の辺部におけるコイル列は、上記鉄心の軸方向に平行で且つ周方向に配置され、上記コイル組合体の第３の辺部におけるコイル列は、上記鉄心の軸方向にほぼ直角で且つ径方向に配置されていることを特徴とする請求項２に記載の回転電動機のコイル装着方法。
【請求項４】
一対のスロット内に配設される第１及び第２の辺部を備えたコイル組合体を巻く巻枠を備えたコイル巻線機であって、
上記巻枠は、巻線時の線材層の幅がスロット開口部の幅以下となるような所定層毎に挿入することができる複数の仕切り板兼巻軸と、上記仕切り板兼巻軸方向に移動可能な他端側に設けられた巻軸を備え、
上記仕切り板兼巻軸が回転軸を中心に垂直方向に回転することにより、巻回された上記コイル組合体の第１及び第２の辺部を折り曲げることができ、かつ上記仕切り板兼巻き軸をずらすことで巻回された上記コイル組合体の第１及び第２の辺部を辺長方向にずらすことができることを特徴とするコイル巻線機。
【発明の詳細な説明】
【技術分野】
【０００１】
この発明は、回転電機の固定子のスロット内にコイルを占積率良く装着する技術に関するものである。
【背景技術】
【０００２】
従来の回転電動機において、例えば、内周面に所定の間隔を介して形成されるスロットの幅よりスロットの開口部の幅が狭く形成された鉄心と、巻回され、少なくとも対応する一対のスロットにそれぞれ装着される第１および第２の辺部が、整列巻きされて両スロット内に嵌挿可能な厚さ（束）に積層され、第１および第２の辺部の一端側に連なる第３の辺部が、第１および第２の辺部の延在方向にずれて積層方向の厚さがスロットの開口部より小さく積層されて形成された複数のコイル組合体を、第３の辺部をスロットの開口部を通過させることにより第１および第２の辺部を両スロット内に順次装着して形成されるコイルを備えたものが開示されている（例えば、特許文献１参照）。
【０００３】
【特許文献１】特開２００３−１５３４７８号公報（発明の効果、図４）
【発明の開示】
【発明が解決しようとする課題】
【０００４】
上記回転電動機（特許文献１）においては、スロットの開口部を通過するコイル部をスロットの断面に応じた厚さ（束）から延在方向にずれるように所定の列数（例えば一列）に積層し、他端側では鉄心形状に沿った弧状に形成したコイルを使用することにより、内周面に所定の間隔を介して形成されるスロットの幅よりスロットの開口部の幅が狭く形成された鉄心にコイルを装着することが可能となる。
【０００５】
しかしながら、コイルをスロットの断面に応じた束から延在方向にずれるように所定の列数（例えば一列）に積層した部位は、外周になるほどそのコイル長さが長くなる。そのため、コイル周長が延びることにより、一次銅損の増加につながり、モータ効率が低減してしまう問題があった。
【０００６】
また、コイルを所定の列数（例えば一列）に積層した部位は、コイル挿入後にコアの端面部に位置する部分である。そのため、コイル周長が長くなることにより、従来一般の方式に比べコアの端面部に位置するコイルの容積が増加し、回転電動機の全長を延ばす原因となる等の課題があった。
【０００７】
さらに、コイル形状が複雑であるために、コイルの製作方法も困難であるという課題があった。
【０００８】
この発明は上記のような従来の課題を解消するためになされたものであり、コイル周長を延ばすことなく、また、コア端面部のコイル容積を増加させることなく、スロットの幅よりスロットの開口部の幅が狭く形成された鉄心にコイルを装着することができる回転電動機のコイル装着方法を提供する。
【課題を解決するための手段】
【０００９】
この発明による回転電動機の固定子は、所定の間隔を介してスロットが形成された鉄心と、スロット内に巻回されたコイルを備え、スロット内において整列巻きされた各線材層の並びであるコイル列は、鉄心の軸方向に平行で且つ周方向に配置され、鉄心のコイルエンド部において整列巻きされた各線材層の並びであるコイル列は、鉄心の軸方向にほぼ直角で且つ径方向に配置されていることを特徴とする。
【００１０】
また、この発明による回転電動機のコイル装着方法は、スロット内部の幅よりスロット開口部の幅が狭く形成された鉄心にコイル組合体を装着する方法であって、コイル組合体が、一対のスロット内に配設される第１及び第２の辺部と、第１及び第２の辺部の一端側に連なりスロット開口部に導入される第３の辺部と、第１及び第２の辺部の他端側に連なる第４の辺部を備え、コイル組合体の第１および第２の辺部を鉄心の軸方向に延ばすようにスライドさせ、スロット開口部を通過する部位である第３の辺部をスロット開口部の幅以下の積層厚にずらすことにより、コイル組合体をスロット内に挿入する工程と、コイル組合体の第１および第２の辺部を鉄心の軸方向に縮めるようにスライドさせることにより、第１および第２の辺部をスロット断面に応じた積層厚にすると共に、スロット開口部の幅以下の積層厚に形成された第３の辺部を重ならせる工程からなる。
【００１１】
また、この発明のコイル巻線機は、一対のスロット内に配設される第１及び第２の辺部を備えたコイル組合体を巻く巻枠を備えたコイル巻線機であって、巻枠は、巻線時の線材層の幅がスロット開口部の幅以下となるような所定層毎に挿入することができる複数の仕切り板兼巻軸と、仕切り板兼巻軸方向に移動可能な他端側に設けられた巻軸を備え、仕切り板兼巻軸が回転軸を中心に垂直方向に回転することにより、巻回されたコイル組合体の第１及び第２の辺部を折り曲げることができ、かつ仕切り板兼巻き軸をずらすことで巻回されたコイル組合体の第１及び第２の辺部を辺長方向にずらすことができることを特徴とする。
【発明の効果】
【００１２】
この発明による回転電動機の固定子によれば、コイルを形成する線材層がそれぞれの部位で規則正しく配列されることにより、鉄心のスロット内の占積率を上げるだけでなく、コイルエンド部の占積率も向上させることができ、回転電動機の全長を短くすることが可能となる。また、従来方式による不規則な線材層の配列ではコイルエンド成形で局部的に力を受ける可能性が高くなるが、本発明によれば、コイルエンド成形時の負荷もなく信頼性の面でも向上する。
【００１３】
また、この発明による回転電動機のコイル装着方法によれば、コイル組合体の第１および第２の辺部を鉄心の軸方向に延ばすようにスライドさせ、スロット開口部を通過する部位である第３の辺部をスロット開口部の幅以下の積層厚にずらすことにより、コイル組合体の第３の辺部をスロット開口部から簡単に挿入することができる。また、スロット通過後は、コイル組合体の第１および第２の辺部を鉄心の軸方向に縮めるようにスライドさせることにより、スロット開口部の幅以下の積層厚に形成された部位である第３の辺部を重ねて鉄心端面に位置するコイルの高さを低くすることができる。
【００１４】
また、この発明によるコイル巻線機において、巻線時の線材層の幅がスロット開口部の幅以下となるような所定層毎に仕切り板兼巻軸を挿入し、コイル組合体の断面がスロット形状に応じた断面の束となるように整列巻線を行う。その後、コイル組合体の第１および第２辺部の整列巻き部の形状を保持した状態で、仕切り板兼巻軸を挿入した部位を折り曲げ、その後、巻線時に挿入した仕切り板兼巻軸をコイル組合体の第１および第２辺方向にずらすことで、仕切り板兼巻軸で分割されたスロット開口部の幅以下となる厚さの線材層毎にスライドさせる。その結果、対応する一対のスロットにそれぞれ装着されるコイル組合体の第１および第２辺部はスロットの断面に応じた束に整列巻線され、かつスロット開口部を通過する部位はスロット開口部の幅以下となる線材の層が形成される。
【発明を実施するための最良の形態】
【００１５】
以下、この発明を実施するための最良の形態を図に基づいて詳細に説明する。
【００１６】
実施の形態１．
図１はこの発明の実施の形態１による回転電動機の固定子を示す斜視図である。図において、円筒状の鉄心３には、内周面に所定の間隔を介して突出し先端が両側に出っ張った複数の磁極ティース部３ａが形成されている。そして、これら磁極ティース３ａ間には、開口部の幅ｗ１が内部の幅ｗ２より狭いスロット３ｂが形成されている。コイル組合体１は、本実施の形態に特徴的なものであり、所定のスロット３ｂとそこからｎ個離れた位置のスロット３ｂに配設される第１及び第２の辺部１ａ、１ｂと、第１及び第２の辺部１ａ、１ｂの一端側に連なり、実施の形態２で詳述するようにスロット３ｂの開口部から導入される第３の辺部１ｃ、ｄ、ｅと、第１及び第２の辺部１ａ、１ｂの他端側に連なり鉄心３の円弧形状に沿った形状の第４の辺部１ｆを備えている。
【００１７】
図２（ａ）は本実施の形態による回転電動機の固定子を示す側面図であり、図２（ｂ）は図２（ａ）のＡ−Ａ線断面、Ｂ−Ｂ線断面、Ｃ線断面におけるコイル組合体の断面図、図２（ｃ）は図２（ａ）のＡ−Ａ線断面、Ｂ−Ｂ線断面、Ｃ線断面におけるコイル列を示している。
【００１８】
図２に示すように、鉄心３のスロット３ｂ内におけるコイル列は、鉄心３の軸方向に対して平行で且つ鉄心３の周方向に重なるように並んでおり、図２（ｂ）に示すように、Ａ−Ａ線断面とＢ−Ｂ線断面で同じ並びとなっている。ここでいう「コイル列」とは、整列巻きされた各線材層の並びを意味し、特に後述の実施の形態３で示すように、ワイヤを巻枠に巻線する際に形成される各線材層の並びを指している。図２（ｃ）の上２段はＡ−Ａ線、Ｂ−Ｂ線におけるコイル列を模式的に表した図であり、この例では６列のコイル列が、鉄心３の軸方向に対して平行で且つ鉄心３の周方向に重なるように並んでいる。
【００１９】
また、後述する実施の形態３の巻枠により整列巻きされたコイル列は、鉄心３のスロット３ｂ内に位置する部分だけでなく、図２（ｂ）および（ｃ）のＣ線断面に示すように、コイルエンド部となる第３の辺部１ｃ、１ｄ、１ｅでも規則正しく配列されており、鉄心３の軸方向に対してほぼ直角で且つ鉄心の径方向に重なるような並びとなっている。図２（ｃ）の最下段はＣ線におけるコイル列を模式的に表した図であり、Ａ−Ａ線断面、Ｂ−Ｂ線断面と同じ６列のコイル列が、鉄心３の軸方向に対してほぼ直角で且つ鉄心の径方向に重なるように並んでいる。
【００２０】
固定子鉄心のスロット内におけるコイル占積率を向上するためにより多くの線材（ワイヤ）を詰め込むと、当然コイルエンド部の線材（ワイヤ）の占める体積も大きくなる。回転電動機の全長を短くするにはコイルエンド部の占積率も向上させる必要がある。
【００２１】
本実施の形態では、スロット内におけるコイル列を、鉄心の軸方向に平行で且つ周方向に配置すると共に、コイルエンド部におけるコイル列を、鉄心の軸方向にほぼ直角で且つ径方向に配置したので、スロット内の線材の占積率を上げるだけでなく、コイルエンド部の線材の占積率も向上させることができ、ひいては回転電動機の全長を短くすることが可能となる。
【００２２】
実施の形態２．
図３はこの発明の実施の形態２によるコイル組合体を説明するための斜視図であり、図３（ａ）は上記実施の形態１によるコイル組合体をスライドしてスロット開口部を通過する部位を薄い形状にした構成を示す斜視図、図３（ｂ）は図３（ｂ）のコイル組合体を再度スライドしてスロット開口部を通過する部位を重ねた形状にした構成（実施の形態１のコイル組合体）を示す斜視図である。
【００２３】
図３（ａ）のコイル組合体１において、一対のスロット３ｂに装着される第１および第２の辺部１ａ、１ｂは、整列巻きされ鉄心３のスロット３ｂ内に嵌挿可能な厚さに積層されている。これら第１および第２の辺部１ａ、１ｂの一端側に連なる第３の辺部１ｃ、１ｄ、１ｅは、それぞれコイル列がスロット開口部の幅以下となる厚さになるように、第１および第２の辺部１ａ、１ｂより図示Ｘ１方向（鉄心の軸方向）にスライドされて形成される。第１および第２の辺部１ａ、１ｂの他端側に連なる第４の辺部１ｆは、鉄心３の端面形状に沿った円弧状に積層されている。
【００２４】
図３（ｂ）のコイル組合体１は、図３（ａ）のコイル組合体１の第１および第２の辺部１ａ、１ｂを図示Ｘ２方向（鉄心の軸方向）にスライドすることにより、第３の辺部１ｃ、１ｄ、１ｅを重ねた状態に形成される。この状態において、鉄心３のスロット３ｂ内に配置される第１および第２の辺部１ａ、１ｂのコイル列は、鉄心３の軸方向に対して平行で且つ鉄心３の周方向に重なるように並んでいる。また、鉄心３のコイルエンド部に配置される第３の辺部１ｃ、１ｄ、１ｅのコイル列は、鉄心３の軸方向に対してほぼ直角で且つ鉄心の径方向に重なるような並びとなっている。
【００２５】
図４〜図６はこの発明の実施の形態２によるコイル組合体の鉄心への装着手順を示す図である。図４（ａ）および図４（ｂ）はコイル組合体１を鉄心３のスロット３ｂに挿入する前状態を示す平面図およびＤ−Ｄ線側面断面図、図５はコイル組合体１が鉄心３のスロット３ｂを通過している状態を示す側面断面図、図６（ａ）および図６（ｂ）はコイル組合体１が鉄心３を通過しコイルエンド部が重なる状態を示す側面断面図である。
【００２６】
本実施の形態では、コイル組合体を鉄心へ装着するにあたって、コイル組合体１の第３の辺部１ｃの両端部の各々を保持する一対のブレード４と、コイル組合体１の第３の辺部１ｃ、ｄ、ｅを押し上げるアッパーツール５と、コイル組合体１の第１および第２の辺部１ａ、１ｂを保持する保持部材６と、アッパーツール５をスライド可能にガイドし、ブレード４を配設すると共に、保持部材６を取り付け可能な本体部５０を備えたコイル装着装置が使用される。
【００２７】
以下、本実施の形態２によるコイル組合体の鉄心への装着方法を説明する。まず、図４において、コイル組合体１の第１および第２の辺部１ａ、１ｂに一対の保持部材６を装着して整列保持すると共に、第３の辺部１ｃ、１ｄ、１ｅの両端部を二対のブレード４間に挿入する。なお、図では、２組のコイル組合体１を同時に鉄心３へ装着している例を示している。
【００２８】
次に、図５において、コイル装着装置の本体部５０、すなわちブレード４及びアッパーツール５を上昇させることにより、コイル組合体１は鉄心３の一対のスロット３ｂ内に嵌挿されて行く。そして、ブレード４が鉄心３のスロット３ｂを貫通した時点で、コイル装着装置の本体部５０すなわちブレード４及びアッパーツール５の上昇を停止する。
【００２９】
次に、図６（ａ）および（ｂ）において、アッパーツール５のみを本体部５０でガイドしながら上昇させると、２対のブレード４内のコイル組合体１も上昇し、コイル組合体１の第３の辺部１ｃ、１ｄ、１ｅの順で鉄心３を通過し、更にブレード４から外れる。そして、最終的に、第３の辺部１ｃ、１ｄ、１ｅはアッパーツール５の上昇とともに重なり合う。
【００３０】
以上のように、本実施の形態によれば、コイル組合体を鉄心に挿入するときは、第１および第２の辺部を鉄心の軸方向に延ばすようにスライドさせることにより、スロット開口部を通過する部位である第３の辺部をスロット開口部の幅以下の積層厚に形成することができる。また、スロット通過後は、コイル組合体の第１および第２の辺部を鉄心の軸方向に縮めるようにスライドさせることにより、スロット開口部の幅以下の積層厚に形成された部位である第３の辺部を重ねて鉄心端面に位置するコイルの高さを低くすることができる。
【００３１】
実施の形態３．
図７〜図１０はこの発明の実施の形態３によるコイル巻線を説明するための図であり、図７は本実施の形態のコイル巻線に使用する巻枠の構成を示す正面図、図８（ａ）〜（ｄ）は図７の巻枠を使用してコイル巻線を行う状態を示す側面図、図９は図７の巻枠を使用してコイルの折り曲げを行う状態を示す側面図、図１０は図７の巻枠を使用してコイルのスライドを行う状態を示す側面図である。
【００３２】
図７〜図１０に示すように、本実施の形態に使用されるコイルの巻枠１５は、コイル巻回時に線材の各層毎またはスロット開口部の幅以下となるような数層毎に挿入される仕切り板兼巻軸７ａ、７ｂ、７ｃと、仕切り板兼巻軸７ａ、７ｂ、７ｃに相対する巻軸９と、コイルが巻回された仕切り板兼巻軸７ａ、７ｂ、７ｃを少なくとも９０度回転することができる回転軸１０と、回転軸１０に取り付けられ、仕切り板兼巻軸７ａ、７ｂ、７ｃに巻回されたコイル組合体１を折り曲げることができる折り曲げ軸１１と、巻軸９を仕切り板兼巻軸７ａ、７ｂ、７ｃ方向に移動させることができるスライダー１２及びスライドガイド１２ｂと、コイル組合体１の形状を保持する当て板１３と、コイル組合体１の第１および第２の辺部１ａ、１ｂを整列保持する一対の保持部材１４を備えている。
【００３３】
次に、上記巻枠１５を使用したコイルの巻線方法について説明する。まず、図８（ａ）に示すように、仕切り板兼巻軸７ａと巻軸９の間に線材２を、図示しないコイル巻線機により、所定の巻数巻回する。次に、図８（ｂ）に示すように、仕切り板兼巻軸７ａの上に仕切り板兼巻軸７ｂをスライドした後、仕切り板兼巻軸７ｂと巻軸９の間に線材２を巻回する。更に、図８（ｃ）に示すように、仕切り板兼巻軸７ｂの上に仕切り板兼巻軸７ｃをスライドした後、仕切り板兼巻軸７ｃと巻軸９の間に線材２を巻回する。このようにすることで、先に巻回したコイルの層と次に巻くコイルの層を分割することができる。なお、図示しないが、仕切り板兼巻軸７ａ、７ｂ、７ｃの巻線用溝部の形状は、それぞれの仕切り板兼巻軸に巻回される巻数分の溝幅で決められており、各層に巻かれたコイルを重ねると鉄心のスロット形状に対応したコイル形状となる。そして、仕切り板兼巻軸７ａ〜７ｃに巻線が終了すると、図８（ｄ）に示すように、仕切り板兼巻軸７ａ〜７ｃ上にカバー８を被せる。
【００３４】
次に、図９に示すように、コイル組合体１の第１および第２の辺部１ａ、１ｂに一対の保持部材１４を装着して整列保持し、巻軸９をスライダー１２により仕切り板兼巻軸７ａ、ｂ、ｃの方向に移動させる。そして、折り曲げ軸１１を仕切り板兼巻軸７ａに配設された回転軸１０に取り付け、仕切り板兼巻軸７ａ〜７ｃ及びカバー８を９０度回転させることにより、コイル組合体１の第１および第２の辺部１ａ、１ｂを９０度折り曲げる。これにより、第１および第２の辺部１ａ、１ｂにおいてスライド可能なコイル組合体が形成される。
【００３５】
そして、図１０に示すように、仕切り板兼巻軸７ａ、７ｂ、７ｃをそれぞれコイル組合体の第１および第２の辺部１ａ、１ｂ方向にスライドすることで、所定の層が分離しスロット開口部の幅以下の厚さとなるコイル組合体１の第３の辺部１ｃ、１ｄ、１ｅが形成される。
【００３６】
以上のように、本実施の形態によれば、コイル巻回時に所定の層毎に仕切り板兼巻軸７ａ、７ｂ、７ｃを挿入することにより、巻回されたコイル組合体１の上記所定の層毎において分割が可能となる。そして、仕切り板兼巻軸７ａ、７ｂ、７ｃを９０度回転させコイル組合体１を折り曲げることでスライド可能なコイル形状が得られる。
【００３７】
また、仕切り板兼巻軸７ａ、７ｂ、７ｃを９０度回転させコイル組合体１を折り曲げる際に、折り曲げる回転中心から外周方向になるほどコイルは引寄せられ、引寄せられるコイルの末端は、他端側の巻軸９に規制され引寄せが妨害される。しかしながら、他端側の巻軸９が仕切り板兼巻軸７ａ、７ｂ、７ｃのある方向に移動（退避）することでコイルが他端側の巻軸９に妨害されることを防ぐ。
【００３８】
次に、上記実施の形態による巻枠を使用した巻線機について説明する。一般に、モータ効率を向上させる方法として電線径を太くすることで一次銅損を低減させる方法がある。しかし鉄心のスロット内に所定の巻数のコイルを入れる場合、電線径を太くするには限界があり、また太くすることで隣り合う電線間に無駄な空間ができコイル占積率向上に結びつかない。そこで細い電線を複数本同時に巻線するパラレル巻きが必要になる。パラレル巻きを行うにはフライヤ巻きでは複数本のワイヤが捩れてしまうため、巻枠自身を回転させるスピンドル巻きが必要になる。また、１台の巻枠ではコイル１台しか巻けないため、隣り合うコイルの線材（ワイヤ）をつなげる端末処理が必要になる。そこで、実施の形態２による巻枠を複数台用意し、駆動源により回転する回転軸の先端に固定された巻枠取付台に装着する。そして、渡り線処理により連続巻線することでスライド可能なコイルを容易に製作することができ、端末処理の箇所も低減することができる。
【図面の簡単な説明】
【００３９】
【図１】この発明の実施の形態１による回転電動機の固定子を示す斜視図である。
【図２】図２（ａ）は実施の形態１による回転電動機の固定子を示す側面図、図２（ｂ）はＡ−Ａ線断面、Ｂ−Ｂ線断面、Ｃ線断面におけるコイル組合体の断面図、図２（ｃ）はＡ−Ａ線断面、Ｂ−Ｂ線断面、Ｃ線断面におけるコイル列を示している。
【図３】この発明の実施の形態２によるコイル組合体を説明するための斜視図である。
【図４】この発明の実施の形態２によるコイル組合体の鉄心への装着手順を示す図である。
【図５】この発明の実施の形態２によるコイル組合体の鉄心への装着手順を示す図である。
【図６】この発明の実施の形態２によるコイル組合体の鉄心への装着手順を示す図である。
【図７】この発明の実施の形態３のコイル巻線に使用する巻枠の構成を示す正面図である。
【図８】この発明の実施の形態３による巻枠を使用してコイル巻線を行う状態を示す側面図である。
【図９】この発明の実施の形態３による巻枠を使用してコイルの折り曲げを行う状態を示す側面図である。
【図１０】この発明の実施の形態３による巻枠を使用してコイルのスライドを行う状態を示す側面図である。
【符号の説明】
【００４０】
１  コイル組合体、１ａ，１ｂ  第１および第２の辺部、１ｃ，ｄ，ｅ  第３の辺部、１ｆ  第４の辺部、２  線材、３  鉄心、３ａ  磁極ティース部、３ｂ  スロット、
４  ブレード、５  アッパーツール、６  保持部材、７ａ，ｂ，ｃ  仕切り板兼巻軸、
９  巻軸、１０  回転軸、１１  折り曲げ軸、１３  当て板、１４  保持部材、
１５  巻枠。
【図１】
2005304108.tif 000003
【図２】
2005304108.tif 000004
【図３】
2005304108.tif 000005
【図４】
2005304108.tif 000006
【図５】
2005304108.tif 000007
【図６】
2005304108.tif 000008
【図７】
2005304108.tif 000009
【図８】
2005304108.tif 000010
【図９】
2005304108.tif 000011
【図１０】
2005304108.tif 000012